(57)【要約】【課題】  コンテンツに対するユーザの日常作業の履歴情報を利用してオントロジ構築を支援することにより、大幅な工数低減が実現できると共に、情報検索の精度の向上や検索範囲の規模を拡大させることができるコンテンツ公開システム等を提供する。【解決手段】  互いに関係をもった項目の集合で定義される情報を含む複数のオントロジ０１０８０…を含むネットワーク上で、ユーザ０１２１０…が操作した履歴を格納するコンテンツ利用履歴０１０７０を備え、コンテンツクライアント０１０１０…、及びオントロジ管理者コンピュータ０１１３０…は、ユーザ０１２１０…によって作成、分類、検索された文書の項目、又はオントロジ項目と、オントロジ項目を含む類似項目とから文書間の類似度を算出してコンテンツ利用履歴格納０１０７０に格納し、類似度に基づいた新規文書の作成、分類、検索を行うことを最も主要な特徴とする。【選択図】      図１
2005316699.tif 000002
【特許請求の範囲】
【請求項１】
ユーザコンピュータと、互いに関係をもった項目の集合で定義される情報を含む複数のオントロジと、オントロジ管理者コンピュータとを少なくとも備えたコンテンツ公開システムにおいて、
ユーザが操作した履歴を格納するコンテンツ利用履歴格納手段を備え、
前記ユーザコンピュータ、及び前記オントロジ管理者コンピュータは、ユーザによって作成、分類、検索された文書の項目、又はオントロジ項目と、オントロジ項目を含む類似項目とから文書間の類似度を算出して前記コンテンツ利用履歴格納手段に格納し、前記類似度に基づいた新規文書の作成、分類、及び検索の少なくとも１つを行う
ことを特徴とするコンテンツ公開システム。
【請求項２】
前記コンテンツ利用履歴格納手段は、
ユーザの行った文書の作成、分類、及び検索の履歴を格納する
ことを特徴とする請求項１に記載のコンテンツ公開システム。
【請求項３】
前記オントロジを前記類似度により連携する
ことを特徴とする請求項１又は２の何れか１項に記載のコンテンツ公開システム。
【請求項４】
前記文書の項目、及び前記オントロジ項目を、前記ユーザコンピュータ、及び前記オントロジ管理者コンピュータの画面上において、前記類似度に基づいて配置する
ことを特徴とする請求項３に記載のコンテンツ公開システム。
【請求項５】
類似度の高い前記文書の項目、及び前記オントロジ項目は近くに、前記類似度の低い文書の項目、及びオントロジ項目は遠くに配置する
ことを特徴とする請求項４に記載のコンテンツ公開システム。
【請求項６】
関係のあるオントロジ項目間を線で結ぶ
ことを特徴とする請求項４又は５の何れか１項に記載のコンテンツ公開システム。
【請求項７】
異なるオントロジ管理者コンピュータが同じオントロジ項目間を線で結んでいる場合、前記線と異なる線でオントロジ項目間を結ぶ
ことを特徴とする請求項６に記載のコンテンツ公開システム。
【請求項８】
前記文書の項目、及び前記オントロジ項目の大きさは、前記類似度に基づいて変化する
ことを特徴とする請求項４乃至７の何れか１項に記載のコンテンツ公開システム。
【請求項９】
前記類似度の高い文書の項目は大きく表示し、前記類似度の低い文書の項目は小さく表示する
ことを特徴とする請求項８に記載のコンテンツ公開システム。
【請求項１０】
前記文書の項目の画面上の位置を変化させることによって、前記類似度が変化する
ことを特徴とする請求項４乃至９の何れか１項に記載のコンテンツ公開システム。
【請求項１１】
少なくともユーザコンピュータと、互いに関係をもった項目の集合で定義される情報を含む複数のオントロジと、文書を格納するコンテンツ利用履歴格納手段と、オントロジ管理者コンピュータとを用いたコンテンツ公開方法において、
ユーザが操作した履歴を前記コンテンツ利用履歴格納手段に格納し、前記ユーザコンピュータ、及び前記オントロジ管理者コンピュータが、ユーザによって作成、分類、検索された文書の項目、又はオントロジ項目と、オントロジ項目を含む類似項目とから文書間の類似度を算出して前記コンテンツ利用格納手段に格納し、前記類似度に基づいた新規文書の作成、分類、及び検索の少なくとも１つを行う
ことを特徴とするコンテンツ公開方法。
【請求項１２】
前記コンテンツ利用履歴格納手段は、
ユーザの行った文書の作成、分類、及び検索の履歴を格納する
ことを特徴とする請求項１１に記載のコンテンツ公開方法。
【請求項１３】
前記オントロジを前記類似度により連携する
ことを特徴とする請求項１１又は１２の何れか１項に記載のコンテンツ公開方法。
【請求項１４】
前記文書の項目、及び前記オントロジ項目を、前記ユーザコンピュータ、及び前記オントロジ管理者コンピュータの画面上において、前記類似度に基づいて配置する
ことを特徴とする請求項１３に記載のコンテンツ公開方法。
【請求項１５】
前記類似度の高い前記文書の項目、及び前記オントロジ項目は近くに、前記類似度の低い文書の項目、及びオントロジ項目は遠くに配置する
ことを特徴とする請求項１４に記載のコンテンツ公開方法。
【請求項１６】
関係のあるオントロジ項目間を線で結ぶ
ことを特徴とする請求項１４又は１５の何れか１項に記載のコンテンツ公開方法。
【請求項１７】
異なるオントロジ管理者コンピュータが同じオントロジ項目間を線で結んでいる場合、前記線と異なる線でオントロジ項目間を結ぶ
ことを特徴とする請求項１６に記載のコンテンツ公開方法。
【請求項１８】
前記文書の項目、及び前記オントロジ項目の大きさは、前記類似度に基づいて変化する
ことを特徴とする請求項１４乃至１７の何れか１項に記載のコンテンツ公開方法。
【請求項１９】
前記類似度の高い文書の項目は大きく表示し、前記類似度の低い文書の項目は小さく表示する
ことを特徴とする請求項１８に記載のコンテンツ公開方法。
【請求項２０】
前記文書の項目の画面上の位置を変化させることによって、前記類似度が変化する
ことを特徴とする請求項１４乃至１９の何れか１項に記載のコンテンツ公開方法。
【請求項２１】
請求項１１乃至２０の何れか１項に記載のコンテンツ公開方法をコンピュータに実行させる
ことを特徴とするコンテンツ公開プログラム。
【発明の詳細な説明】
【技術分野】
【０００１】
本発明は、単一のコンピュータ上、あるいは有線、無線のネットワークにより接続された複数のコンピュータ環境下で、単一、あるいは複数のオントロジを構築、相互に関連付けることによって、情報検索の精度の向上や検索範囲の規模を拡大させる技術に関する。また、本発明は、オントロジ構築や複数オントロジ間の関連付けのための工数を低減する技術に関する。
【背景技術】
【０００２】
インターネット又はイントラネットを利用した情報公開サーバ、メールサーバ、文書管理等のコンテンツ管理システムにおいて、情報ソースとなる文書やデータファイル等のコンテンツの量が膨大になってくると、ユーザが必要とする情報を入手するための手間も増大する。これに対し、少ない手間で必要な情報を入手するために、ユーザが利用したい情報の分野毎の専門用語、及びその上位概念や下位概念、別名、類義語等の用語間の関係を予めコンピュータが理解可能なように辞書データベース化しておき、この辞書データベースを情報の検索や抽出、分類に利用している。このような辞書データベース、及び概念を一般に「オントロジ」と呼ぶ。
【０００３】
しかしながら、前記のようなオントロジを構築する作業は、従来、その分野の有識者により人手で行われ、その作業工数も語数に応じて多くなるという問題があった。具体的には、一般的な辞書構築方法としては、専門分野の文書を入力として、これを自動的に用語に切り出す処理（形態素解析処理）を行って得られた用語集合に対して、人手で不要用語除去や分類作業を行っていた。
【０００４】
このようなオントロジ構築を支援する技術として、例えば特許文献１では、単一の辞書データベース（オントロジ）を構築するために、ユーザの検索履歴情報を利用し、検索用語を登録候補とする方法が記載されている。
【０００５】
一方、従来のように単一のオントロジ構築だけでなく、さまざまな分野でさまざまなオントロジが構築されてくると、これらのオントロジ群を意味的に結合して、新しい意味ネットワークを生成し、これを利用した検索等のニーズも生まれており、同様の考え方として、インターネットの分野では現在「セマンティックウェブ」とよばれる技術開発が進められている。
【０００６】
複数のオントロジを取り扱う技術として、例えば、特許文献２では、二つのオントロジのノード間を結合させるためのＧＵＩ（Ｇｒａｐｈｉｃａｌ  Ｕｓｅｒ  Ｉｎｔｅｒｆａｃｅ）を提供する方法について、また、特許文献３では、複数のオントロジのノード間の変換規則を格納することで、複数の情報サーバからの検索を実現する方法について記載されている。同様の考え方は、業務支援システムの分野では、二つのデータベース間をデータ連携するためのＥＡＩ（Ｅｎｔｅｒｐｒｉｓｅ  Ａｐｐｌｉｃａｔｉｏｎ  Ｉｎｔｅｇｒａｔｉｏｎ）システムで実現されており、それぞれのデータベースのスキーマ間を線で結ぶ等のＧＵＩやスキーマ間の変換処理を記述することにより実現している。
【０００７】
また、特許文献４では、あるオントロジのスロット（ノード）と他のスロットの類似度を算出することで、オントロジ対応情報を生成する方法について記載されている。
【特許文献１】特願２００３−０２５３５９号公報
【特許文献２】特開２００１−１４１６６号公報
【特許文献３】特開２００３−３４５８２１号公報
【特許文献４】特開２００３−４４５０２号公報
【発明の開示】
【発明が解決しようとする課題】
【０００８】
オントロジを構築する作業では、従来、その分野の有識者により人手で行われ、その作業工数も語数に応じて多くなるという問題があった。また、複数のオントロジを連携するためには、人手でオントロジ間を対応付けする必要があり、その作業工数が、例えば、語数に応じて多くなるという問題があった。
【課題を解決するための手段】
【０００９】
本発明は、例えば、ネットワーク上に、互いに関係をもった項目の集合で定義される情報を含む複数のオントロジを少なくとも備えたシステムにおいて、ユーザの文書利用履歴をプロファイルすることでオントロジの構築を容易にすることとした。また、例えば、このようなシステムで、各コンピュータは、ユーザによる利用文書の項目、又はオントロジ項目と、オントロジ項目を含む類似項目とから文書間の類似度を算出することでオントロジの調和（連携）を図ることとした。
【発明の効果】
【００１０】
従来、複数オントロジの構築や対応関係付けに対し、人手により膨大な工数がかかっていたが、本発明を実施することで、大幅な工数低減が実現できる。また、コンテンツに対するユーザの日常作業の履歴情報を利用して構築を支援することにより、大幅な工数低減が実現できると共に、情報検索の精度の向上や検索範囲の規模を拡大させることができるという利点がある。また、例えば、文書の項目、又はオントロジ項目と、オントロジ項目を含む類似項目とから文書間の類似度を算出することにより、各オントロジ間の関連が容易に確認でき、複数のオントロジ間の対応付けが容易に実現できるという利点がある。
【発明を実施するための最良の形態】
【００１１】
本発明の実施にあたっては、インターネット、あるいはイントラネットのようなネットワーク上に、文書、データファイル等を管理する一つ、あるいは複数のコンテンツ管理サーバが分散された環境で配置され、複数のユーザがコンテンツ管理サーバを利用できる形態が最良である。以下、図面を用いて、本発明の一実施形態について説明する。
【００１２】
図１は、本発明の一実施形態に関わるコンテンツ公開システムの例であり、コンピュータネットワーク上のソフトウェアとデータ蓄積媒体及び利用者の配置を示す。ユーザ０１２１０、０１２２０、０１２２５及び０１２３０（以下適宜「ユーザ０１２１０…」という）は、本システムを利用するユーザであり、それぞれコンテンツクライアント０１０１０、０１０２０、０１０２５及び０１０３０（以下適宜「コンテンツクライアント０１０１０…」という）を使用する。管理者０１２４０、０１２５０、０１２６０（以下適宜「管理者０１２４０…」という）は、システムを管理する管理者であり、それぞれオントロジ管理クライアント０１１３０、０１１４０及び０１１５０（以下適宜「オントロジ管理クライアント０１１３０…」という）を使用する。コンテンツデータベース０１１７０、０１１８０及び０１１９０（以下適宜「コンテンツデータベース０１１７０…」という）は本システムが取り扱うコンテンツを格納するためのデータベースである。コンテンツ利用履歴０１０７０は、コンテンツクライアント０１０１０…をユーザ０１２１０…が操作して入力した履歴を格納するためのデータベースである。定型フォーマット０１０７５は、コンテンツクライアント０１０１０…においてユーザ０１２１０…が新規文書を作成するために用いる文書の形式定義を格納するデータベースである。オントロジ０１０８０、０１０９０及び０１１００（以下適宜「オントロジ０１０８０…」という）は、コンテンツを分類するための分類体系を格納するためのデータベースである。コンテンツサーバ０１０４０、０１０５０及び０１０６０（以下適宜「コンテンツサーバ０１０４０…」という）は、コンテンツに対する追加、削除、変更等の管理機能、コンテンツ利用履歴０１０７０に対する格納、読み出し機能、オントロジ０１０８０…に対する読み出し機能をコンテンツクライアント０１０１０…に提供するサーバである。オントロジ管理サーバ０１１１０は、コンテンツ利用履歴０１０７０に対する読み出し機能、オントロジ０１０８０…に対する格納、読み出し機能をオントロジ管理クライアント０１１３０…に提供するサーバである。ここでオントロジ０１０８０…とは、ユーザ０１２１０…が利用したい情報の分野毎の専門用語、及びその上位概念や下位概念、別名、類義語等の用語間の関係を予めコンピュータが理解可能なようにした辞書データベース、及び概念である。
【００１３】
コンテンツクライアント０１０１０…、コンテンツサーバ０１０４０…、コンテンツデータベース０１１７０…、オントロジ０１０８０…及びオントロジ管理クライアント０１１３０…は、一個以上存在することができる。また、前記装置の機能は任意に各種装置に纏めて装備させても、分散させて装備させても良い。コンテンツクライアント０１０１０…は、一個以上のコンテンツサーバ０１０４０…に接続することができる。コンテンツサーバ０１０４０…は、文書ファイル等の電子的な文書、電子掲示板やメール等の電子的に授受された文書、その他電子的形態を持つ文書の何れか、又はこれらの組み合わせを格納、管理、表示することができる。
【００１４】
コンテンツクライアント０１０１０…は、ユーザ０１２１０…が作成した文書をユーザ０１２１０…のクライアントマシン内にのみ格納する場合には、コンテンツサーバ０１０４０…に文書の内容を送信しなくても良い。
【００１５】
図２は、図１のオントロジ０１０８０…における項目群の例である。オントロジ０１０８０…は、互いに関係をもった項目０７０６０〜０７１２０の集合で定義される。オントロジ項目ＩＤ０７０１０は、項目０７０６０〜０７１２０を一意に識別するＩＤである。オントロジ項目名０７０２０は、項目０７６０〜０７１２０の名前である。オントロジ項目種別０７０３０は、項目０７０６０〜０７１２０がどのような対象を表しているかを識別する名前である。例えば、項目０７０６０、０７０７０、０７０８０、０７０９０及び０７１００は、ソフトウェア開発における開発プロセスを表しているので、オントロジ項目種別０７０３０は「プロセス」である。また、項目０７１１０及び０７１２０は、物体として存在する対象を表しているので、オントロジ項目種別０７０３０は「オブジェクト」である。「プロセス」及び「オブジェクト」以外にも、オントロジ項目種別０７０３０の名前を定義して格納することができる。関係オントロジ項目ＩＤ０７０４０は、ある項目が関係する別の項目のオントロジ項目ＩＤ０７０１０である。関係０７０５０は、項目と、オントロジ項目ＩＤ０７０１０で示される項目がどのような関係にあるかを示す名前である。例えば、項目０７０７０「設計」及び項目０７１００「テスト」は、項目０７０６０「開発手順」を構成する一要素であるため、関係は「集約」である。また、項目０７０８０「基本設計」及び項目０７０９０「詳細設計」は、項目０７０７０「設計」を具体化したものであるので、関係０７０５０は「包含」である。「集約」及び「包含」以外にも、関係０７０５０の名前を定義して格納することができる。
【００１６】
オントロジ項目種別０７０３０及び関係０７０５０は、それぞれオントロジ項目種別０７０３０及び関係０７０５０を一意に識別するＩＤでも良い。
【００１７】
図３は、図１のコンテンツ利用履歴０１０７０における文書分類・作成履歴の例である。文書分類・作成履歴は、ユーザ０１２１０…が予め作成しておいた文書をコンテンツクライアント０１０１０…上で分類した時に格納される。また、ユーザ０１２１０…がコンテンツクライアント０１０１０…を用いて文書を新規作成した時にも格納される。文書ＩＤ０２０１０は、分類、又は作成した文書を一意に識別するＩＤである。文書名０２０２０は、文書の表題である。作成者０２０３０は、文書を作成したユーザ０１２１０…の名前である。作成日０２０４０は、文書を作成した年月日及び時刻である。更新日０２０５０は、文書を最後に更新した年月日、及び時刻である。文書内容０２０６０は、文書の本文である。作成者０２０３０は、ユーザ０１２１０…を一意に識別するＩＤでも良い。
【００１８】
図４は、図１のコンテンツ利用履歴０１０７０における文書作成履歴の例である。文書作成履歴は、ユーザ０１２１０…がコンテンツクライアント０１０１０…を用いて文書を新規作成した時に格納される。文書ＩＤ０３０１０は、文書を一意に識別するＩＤであり、項目０３０５０、０３０６０を一意に識別し、文書分類・作成履歴における文書ＩＤ０３０１０と同一のＩＤは、同一の文書を表している。文書作成履歴では、ソフトウェア開発プロジェクトにおける設計書の作成履歴の例を表している。プロジェクト名０３０２０は、設計書が属するプロジェクトの名前である。使用技術０３０３０は、設計書が設計対象としているソフトウェアで使用している技術の名前である。開発手法０３０４０は、設計書が設計対象としているソフトウェアの開発手法の名前である。プロジェクト名０３０２０、使用技術０３０３０及び開発手法０３０４０は、それぞれプロジェクト名、使用技術及び開発手法を一意に特定するＩＤでも良い。図４ではソフトウェア開発に関連する項目を格納した例を示しているが、文書作成履歴には、コンテンツサーバ０１０４０…が扱うコンテンツの内容に応じた項目を格納する。
【００１９】
図５は、図１のコンテンツ利用履歴０１０７０における文書検索履歴の例である。文書検索履歴は、本システムのユーザ０１２１０…又は管理者０１２４０…が本システムに格納されている文書群、文書群が含む単語及びオントロジ項目０７０６０〜０７１２０に対し検索操作を行った時に格納される。検索ＩＤ０４０１０は、検索操作を一意に識別するＩＤである。検索者０４０２０は、検索操作を行ったユーザ０１２１０…、又は管理者０１２４０…の名前である。検索日０４０３０は、検索操作を行った年月日、及び時刻である。検索キー０４０４０は、検索操作において入力されたキーである。この検索キー０４０４０は、検索０４０５０におけるＤ−１３−４９５２のように、文書ＩＤ０２０１０のうちの１個でも良い。また、検索０４０６０、０４０７０及び０４０８０のように、１個以上の単語でも良い。また、検索０４０９０及び０４１００のように、オントロジＩＤ０７０１０のうちの１個でも良い。ここで、単語とは言葉の最小単位である単語だけでなく、複数の単語を組み合わせてできた複合語でも、単語と助詞、接続詞等を組み合わせた文節でも良い。
【００２０】
図６は、図１のコンテンツ利用履歴０１０７０における文書分類履歴の例である。文書分類履歴は、本システムのユーザ０１２１０…が、文書をオントロジ０１０８０…に従って分類した時に格納される。ここで、分類とは、オントロジ０１０８０…の一個以上の項目に対し、文書との関係度を定義することである。文書ＩＤ０５０１０は、文書を一意に特定するＩＤである。文書ＩＤ０５０１０と、文書分類・作成履歴における文書ＩＤ０２０１０が同一である場合、同一の文書であることを表す。分類者０５０２０は、分類を行ったユーザ０１２１０…の名前である。分類日０５０３０は、分類を実行した年月日、及び時刻である。オントロジ項目ＩＤ０５０４０は、分類において文書との関係度が定義されたオントロジ０１０８０…の項目のＩＤである。オントロジ項目ＩＤ０５０４０は、オントロジ項目群における図２のオントロジ項目ＩＤ０７０１０と同一である場合（図２の項目０７０６０〜０７１２０の任意の１項目の内容と図６の項目０５０６０、０５０７０の任意の１項目の内容とが同一である場合）、同一のオントロジ項目を表している。距離０５０５０は、分類における関係度を表す数値である。距離０５０５０の値が小さいほど、関係度が高いことを表している。
【００２１】
図７は、定型フォーマット０１０７５に格納した文書の形式定義の例である。定型ＩＤ０６０１０は、形式定義を一意に識別するＩＤである。定型名０６０２０は、形式定義の名前である。項目名０６０３０は、文書を新規作成する時にユーザ０１２１０…が入力する項目の定義である。項目名０６０３０は、項目ＩＤ、項目名、及び項目の型で構成される。例えば、形式定義０６０６０では、項目ＩＤは「Ｐｒｏｊｅｃｔ」、「Ｔｅｃｈ」、「Ｍｅｔｈｏｄ」及び「Ｍｏｄｕｌｅ」であり、各項目に対応する項目名はそれぞれ「プロジェクト名」、「使用技術」、「開発手法」及び「モジュールＩＤ」であり、各項目に対応する型はそれぞれ「文字型」、「文字列型」、「文字列型」及び「英数字型」である。本文０６０４０は、文書を新規作成する際に使用する、文書ファイルのフォーマット定義である。例えば、形式定義０６０６０では、本文の「＜Ｐｒｏｊｅｃｔ／＞」部分には項目名０６０３０における項目「Ｐｒｏｊｅｃｔ」に対してユーザ０１２１０…が入力した値を埋め込む。同様に、項目「Ｔｅｃｈ」、「Ｍｅｔｈｏｄ」及び「Ｍｏｄｕｌｅ」に対してユーザ０１２１０…が入力した値をそれぞれ本文の「＜Ｔｅｃｈ／＞」、「＜Ｍｅｔｈｏｄ／＞」及び「＜Ｍｏｄｕｌｅ／＞」の部分に埋め込む。このようにして埋め込みが完了した本文を持つ文書ファイルを生成する。図７ではソフトウェア開発に関連する項目を格納した例を示しているが、形式定義には、コンテンツサーバ０１０４０…が扱うコンテンツの内容に応じた項目を格納する。
【００２２】
図８は、図１のコンテンツ利用履歴０１０７０における類似度の例である。類似度は、本システムで各文書、各単語、各ユーザ０１２１０…及び各オントロジ項目間の類似度が計算された時、また、ユーザ０１２１０…又は管理者０１２４０…によって類似度が変更された場合に格納される。項目ＩＤ０７５１０は、文書、及びオントロジ項目のＩＤである。類似項目０７５２０は、項目ＩＤ０７５１０と類似している文書、単語、ユーザ０１２１０…、及びオントロジ項目であり、ＩＤ、又は文字列を格納することができる。類似度０７５３０は、項目ＩＤ０７５１０で表される文書、又はオントロジ項目と、類似項目０７５２０で表される文書、単語、ユーザ０１２１０…、又はオントロジ項目の間の類似度である。
【００２３】
図９は、図１のコンテンツクライアント０１０１０…の画面遷移の例を示している。まず、ユーザ認証画面０８０１０を表示し、ユーザ０１２１０…にユーザＩＤとパスワード等の認証情報を入力させる。又は、コンテンツクライアント０１０１０…がユーザ０１２１０…のクライアントマシンにインストールされていたり、使用ユーザ０１２１０…を一意に決定する情報をコンテンツクライアント０１０１０…が取得できる場合、ユーザ認証画面０８０１０を表示しないで、自動的に認証情報を入力しても良い。認証情報によって、本システムを使用する権限があると認められた場合、クライアント初期画面０８０２０に遷移する。以降、文書に対する操作を行った場合、コンテンツ利用履歴０１０７０には、ユーザ認証画面０８０１０に入力したユーザ情報に該当するユーザ０１２１０…が操作を行ったものとして格納する。クライアント初期画面０８０２０では、画面切り替え操作によって文書分類画面０８０３０、文書検索画面０８０４０、及び文書作成画面０８０５０に遷移する。また、ユーザ認証画面０８０１０に入力したユーザ情報に応じてユーザ０１２１０…の利用権限を決定し、利用権限のない画面には遷移できないようにしても良い。
【００２４】
図１０は、図１のオントロジ管理クライアント０１１３０…の画面遷移の例を示している。まず、ユーザ認証画面０８１１０を表示し、管理者０１２４０…にユーザＩＤとパスワード等の認証情報を入力させる。又は、オントロジ管理クライアント０１１３０…が管理者０１２４０…のクライアントマシンにインストールされていたり、使用管理者０１２４０…を一意に決定する情報をオントロジ管理クライアント０１１３０…が取得できる場合、ユーザ認証画面０８１１０を表示しないで、自動的に認証情報を認識させても良い。認証情報によって、本システムを使用する権限があると認められた場合、クライアント初期画面０８１２０に遷移する。以降、オントロジ０１０８０…に対する操作を行った場合、オントロジ０１０８０…には、ユーザ認証画面０８１１０に入力したユーザ情報に該当するユーザ０１２１０…が操作を行ったものとして格納する。また、文書に対する操作を行った場合、コンテンツ利用履歴０１０７０には、ユーザ認証画面０８１１０に入力したユーザ情報に該当する管理者０１２４０…が操作を行ったものとして格納する。また、クライアント初期画面０８１２０では、画面切り替え操作によって文書検索画面０８１３０、及びオントロジ項目追加画面０８１４０に遷移する。
【００２５】
図１１は、コンテンツクライアント０１０１０…、及びオントロジ管理クライアント０１１３０…での文書、単語、ユーザ０１２１０…、及びオントロジ項目の表示アルゴリズムの例を表すフローチャートである。アルゴリズムの例では、文書、単語、ユーザ、及びオントロジ項目それぞれの間の類似度を求め、類似度に応じて、類似度の高いもの同士は近傍に、類似度の低いもの同士は遠方に画面上に配置する。以下、フローチャートの各項目の内容を説明する。
【００２６】
Ｓ０９０１０では、文書分類・作成履歴（図３参照）における文書名０２０２０、作成者０２０３０、文書内容０２０６０に格納された単語群、また、文書作成履歴（図４参照）におけるプロジェクト名０３０２０、技術０３０３０、開発手法０３０４０に格納された単語群の中で、新規に発生した単語があるか否かを確認するために本システムが文書群を探索する。文書群に新規単語がある場合、Ｓ０９０２０では、各文書ｄにおける単語ｗ１の出現頻度ｖ１を求める。出現頻度ｖ１が高いほど、単語ｗ１と文書ｄの類似度が高いとする。Ｓ０９０３０では、各文書ｄの作成ユーザｕ１毎に、Ｓ０９０２０の結果である出現頻度ｖ１を足し合わせ、ｖ２とする。足し合わせた値ｖ２が大きいほど、ユーザｕ１と単語ｗ１の類似度が高いとする。
【００２７】
Ｓ０９０４０では、検索履歴（図５参照）における検索キー０４０４０に格納された単語群、及びオントロジ項目群の中で、新規に発生した単語、及びオントロジ項目があるか否かを確認するために本システムが文書群を探索する。検索履歴に新規検索単語、及びオントロジ項目がある場合、Ｓ０９０５０では、各検索単語、及びオントロジ項目ｗ２と各検索単語、及びオントロジ項目ｗとが格納された時刻の差ｓ１を求める。時刻の差ｓ１が小さいほど、単語とオントロジ項目ｗ、及びｗ２間の類似度が高いとする。Ｓ０９０６０では、単語、及びオントロジ項目ｗ２の出現数を、ユーザ、及び管理者ｕ２毎に足し合わせ、その時刻の差をｓ２とする。足し合わせた値ｓ２が大きいほど、ユーザ、及び管理者ｕ２と単語、又はオントロジ項目ｗ２の類似度が高いとする。
【００２８】
Ｓ０９０７０では、検索履歴において新規検索文書が、分類履歴において新規分類文書があるか否かを確認する。検索履歴に新規検索文書が、分類履歴に新規検索文書がある場合、Ｓ０９０８０では、ユーザ、又は管理者が検索、又は分類において文書をコンテンツクライアント０１０１０…、又はオントロジ管理クライアント０１１３０…の画面上に配置した時、文書ｄ３の配置位置と各単語、オントロジ項目ｗの表示位置の距離ｃ１を求める。距離ｃ１が小さいほど、文書ｄ３と単語、又はオントロジ項目ｗの類似度が高いとする。
【００２９】
Ｓ０９０９０では、各ユーザｕ３が配置した文書ｄ３の距離ｃ１を各単語、オントロジ項目ｗについて足し合わせ、ｃ２とする。足し合わせた値ｃ２が大きいほど、ユーザ、又は管理者ｕ３と単語、又はオントロジ項目ｗの類似度が高いとする。
【００３０】
Ｓ０９１００では、本システム運用開始時より現在まで求めてきたＳ０９０２０、Ｓ０９０３０、Ｓ０９０５０、Ｓ０９０６０、Ｓ０９０８０、Ｓ０９０９０の結果を元に、類似度に応じて各文書、各単語、各ユーザ、及び各オントロジ項目を配置して表示する。即ち、ｖ１、ｖ２、ｓ１、ｓ２、ｃ１、ｃ２から各文書、各単語、各オントロジ項目、各ユーザの間の類似度を求め、類似度の近いもの同士は近傍に、類似度の低いもの同士は遠方に画面上に配置する。類似度はコンテンツ利用履歴０１０７０における類似度に格納する。Ｓ０９０２０、Ｓ０９０３０、Ｓ０９０５０、Ｓ０９０６０、Ｓ０９０８０、Ｓ０９０９０で類似度を求める際に、各ユーザ、及び各管理者のプロフィール情報を用いて、各ユーザ、又は各管理者の各オントロジ０１０８０…、及び各単語に対する専門度を求め、類似度に重みを掛け合わせても良い。ここで、プロフィール情報とは、各ユーザ、又は各管理者の職種、部署、関わっているプロジェクト、業務のテーマ等の情報である。プロフィール情報を用いることにより、単に履歴情報を用いた場合に比べて、ユーザ０１２１０…、又は管理者０１２４０…が行った操作が、操作対象に対する専門性に裏付けられた操作であるかを考慮して類似度を求めることができ、類似度の信頼性が向上する。また、コンテンツクライアント０１０１０…、及びオントロジ管理クライアント０１１３０…において、各文書、各単語、各ユーザ、及び各オントロジ項目が表示された際、ユーザ０１２１０…、又は管理者０１２４０…がこれらの配置を変更した場合、配置変更によって近傍になったもの同士は類似度の値を増加し、配置変更によって遠方になったもの同士は類似度の値を減少させても良い。配置変更情報の使用により、使用しないときに比べて、よりユーザ０１２１０…、及び管理者０１２４０…の判断に即した類似度を求めることができ、類似度の信頼性が向上する。また、類似度をユーザ０１２１０…、又は管理者０１２４０…に提供することにより各ユーザ、及び各管理者のプライバシーを侵害する恐れがある場合には、類似度は配置を求める際に使用しなくても良い。例えば、各ユーザ、及び各管理者の検索履歴は、各ユーザ、及び各管理者が検索に用いたキーワード等のプライベートな情報を含んでいるため、検索履歴を用いて計算した類似度は、オントロジ管理クライアント０１１３０…では使用するが、コンテンツクライアント０１０１０…では使用しなくても良い。
【００３１】
Ｓ０９０２０、Ｓ０９０３０、Ｓ０９０５０、Ｓ０９０６０、Ｓ０９０８０、Ｓ０９０９０の計算実行は、ユーザ０１２１０…、又は管理者０１２４０…の操作に対して素早く表示処理Ｓ０９１００を行うことができるように、適切なタイミングで行う。例えば、予め指定した時間間隔で繰り返し行ったり、コンテンツサーバ０１０４０…及びオントロジ管理サーバ０１１１０が動作するサーバマシンへの負荷が低い間に行ったり、夜間の一定時刻に行ったりして良い。
【００３２】
このアルゴリズムにより、ユーザ０１２１０…、及び管理者０１２４０…がそれぞれコンテンツクライアント０１０１０…、及びオントロジ管理クライアント０１１３０…に対して操作するだけで自動的に各文書、各単語、各ユーザ、各オントロジ項目間の類似度を導出でき、文書を整理するための工数が大幅に減少する。
【００３３】
図１２のユーザ認証画面１０１１０は、それぞれ図９又は図１０のユーザ認証画面０８０１０及び０８１１０の例である。ユーザ０１２１０…、又は管理者０１２４０…はユーザＩＤ１０１２０、及びパスワード１０１３０を入力し、ログインボタン１０１４０をクリックする。又はログインボタン１０１４０をクリックする代わりにリターンキーを押す等の代替手段を用いても良い。ユーザ認証処理を実行後、認証が成功した場合にはクライアント初期画面０８０２０又は０８１２０に遷移する。認証が失敗した場合にはエラーメッセージを表示する。クリアボタン１０１５０をクリックすることにより、ユーザＩＤ１０１２０、及びパスワード１０１４０に入力された文字列を空にすることができる。認証によって、ユーザ０１２１０…、又は管理者０１２４０…が各機能を利用する権限があるか確認し、権限に応じた機能を提供することができる。また、ユーザ０１２１０…、又は管理者０１２４０…を識別することにより、コンテンツ利用履歴０１０７０にユーザ０１２１０…、又は管理者０１２４０…の情報を格納することができる。
【００３４】
図１３は、図１のコンテンツクライアント０１０１０…、及びオントロジ管理クライアント０１１３０…の初期画面０８０２０及び０８１２０（図９、図１０参照）の例である。ウインドウタイトル１００１０には、本システムが対象とするコンテンツの内容を表す文字列を表示する。画面は左部分と右部分で構成され、左部分にはユーザ０１２１０…、又は管理者０１２４０…に文字列を入力、又は選択させたり、文書の情報を表示したりする。右部分には、各文書、各単語、各ユーザ０１２１０…、及び各オントロジ項目０７０６０〜０７１１０を表示する。左部分、及び右部分にはタブがあり、表示対象を変更することができる。初期画面例において、左部分ではタブ「検索」１００１５が選択状態になっており、右部分ではタブ「マップ」１００１７が選択されている（ここでは、ツリー形式で表示するタブ「ツリー」１００１８、表形式で表示する表形式「１００１９」は選択していない）。右部分では、オントロジ項目１００４０を表示している。各オントロジ項目は、オントロジ０１０８０…における関係オントロジ項目ＩＤ０７０４０に従い、関係のあるオントロジ項目間を線１００５０で結んで表示する。また、各オントロジ項目と各文書、単語、ユーザ０１２１０…の類似度を図１１のアルゴリズムによって求め、類似度の高い項目（文書、単語、ユーザ）が多くある場合にはオントロジ項目を大きく表示する。これにより、オントロジ０１０８０…の中でどの項目に関する情報が多くあるかを、実際に検索を行う前に概観することができる。また、左部分ではタブ「検索」１００１５が選択状態になっており、検索キー入力フィールド１００２０に検索したい文字列を入力して検索ボタン１００３０をクリックすることにより、文書検索画面０８０４０又は０８１３０に遷移することができる。また、例えば、右部分に文書ファイルをドラッグ＆ドロップすることにより、文書分類画面０８０３０に遷移することができる。また、タブ「文書作成」１００１６をクリックすることにより、文書作成画面０８０５０に遷移することができる。また、クライアントがオントロジ管理クライアント０１１３０…である場合、タブ「プロパティ」１００１３をクリックすることにより、オントロジ項目追加画面０８１４０に遷移することができる。
【００３５】
以下、文書分類画面０８０３０、文書検索画面０８０４０、０８１３０、文書作成画面０８０５０、及びオントロジ項目追加画面０８１４０でもウインドウタイトル、画面左部分、画面右部分、及びタブの配置は同じである（図９、図１０参照）。
【００３６】
図１４は、文書分類画面０８０３０（図９参照）の例である（ここでは、ウインドウタイトル１１０１０は、左部分はタブ「プロパティ」１１０１５が、右部分では図１３同様、タブ「マップ」１１０１７が選択されている）。例えば、クライアントマシンにおける文書「○○システム基本設計書」１１０７０を画面右部分にドラッグすることにより、文書を画面に配置することができる。文書と各文書、各単語、各ユーザ０１２１０…、及び各オントロジ項目の類似度を計算し、類似度の高い文書、単語、ユーザ０１２１０…、及びオントロジ項目を文書の近傍に配置し、類似度が高いほど大きく表示する。文書「○○システムエージェント設計書」１１０５０は、ユーザ０１２１０…がドラッグした文書１１０７０と類似度が高い文書の例である。単語「エージェント」１１１００は、ユーザ０１２１０…がドラッグした文書１１０７０と類似度が高い単語の例である。ユーザ「○田○朗」１１０９０は、ユーザ０１２１０…がドラッグした文書１１０７０と類似度が高いユーザ０１２１０…の例である。オントロジ項目「プロトタイピング」１１０８０は、ユーザ０１２１０…がドラッグした文書１１０７０と類似度が高いオントロジ項目の例である。ユーザ０１２１０…がドラッグした文書１１０７０をドラッグし続け、配置を変える度に、前記配置の状況に応じ、文書１１０７０と各文書、各単語、各ユーザ０１２１０…、及び各オントロジ項目との類似度が変化し、表示の配置と大きさが変化する。ユーザ０１２１０…がドラッグしている文書１１０７０をドロップすると、画面右部分における文書１１０７０の位置が確定する。文書の情報は、コンテンツ利用履歴０１０７０における文書登録・作成履歴に格納される。位置情報は、コンテンツ利用履歴０１０７０における文書分類履歴に格納される。ドロップ後も、文書１１０７０を再びドラッグすることによって位置を変更できる。また、各文書、各単語、各ユーザ０１２１０…、及び各オントロジ項目をドラッグすることにより位置を変更できる。前記位置変更操作の度に、文書１１０７０と各文書、各単語、各ユーザ０１２１０…、及び各オントロジ項目との類似度が変化し、表示の配置と大きさが変化する。類似度の変化の結果は、コンテンツ利用履歴０１０７０における類似度に格納する。表示変化により、ユーザ０１２１０…が文書の配置位置を決定し易くなり、かつ、文書に関連する情報を取得することができる。
【００３７】
画面左部分では、文書１１０７０の内容に関する情報を文書情報入力エリア１１０２０に表示する。情報は変更することができ、更新ボタン１１０３０をクリックすることにより、文書１１０７０に反映する。反映結果は、コンテンツ利用履歴０１０７０における文書登録・作成履歴に格納される。
【００３８】
前記分類により、図１１のアルゴリズムの例における類似度の自動計算だけでなく、ユーザ０１２１０…の意図を反映させて類似度を計算することができ、類似度の精度が向上する。
【００３９】
図１５は、図１４の画面右部分の表示形式を、ツリー形式とした例である（ここでは、ウインドウタイトル１２０１０の左部分では図１４同様、タブ「プロパティ」１２０１５が選択されている）。コンテンツクライアント０１０１０…、及びオントロジ管理クライアント０１１３０…における、ログイン画面を除く各画面０８０２０、０８０３０、０８０４０、０８０５０、０８１２０、０８１３０及び０８１４０において、画面右部分のタブ「ツリー」１２０１７をクリックすることにより、ツリー形式で表示することができる。各オントロジ項目１２０４０は階層構造で表示する。○○システムエージェント設計書１２０５０は、類似するオントロジ項目の位置に配置して表示する。エージェント１２０６０がそれに並んでいる。また、複数のオントロジ項目に類似する場合、１２０７０のように複数の箇所に配置して表示する。エージェント１２０８０がそれに並んでいる。ツリー形式での表示は、オントロジ０１０８０…の階層を辿っての情報探索の場合に有効である。文書情報入力エリア１２０２０、更新ボタン１２０３０については図１４と同様である。
【００４０】
図１６は、図１４の画面右部分を表形式とした例である（ここでは、ウインドウタイトル１３０１０の左部分では図１４、図１５同様、タブ「プロパティ」１３０１５が選択されている）。コンテンツクライアント０１０１０…及びオントロジ管理クライアント０１１３０…における、ログイン画面を除く各画面０８０２０、０８０３０、０８０４０、０８０５０、０８１２０、０８１３０及び０８１４０において、画面右部分のタブ「表形式」１３０１７をクリックすることにより、表形式画面に遷移することができる。文書１３０５０を文書名の昇順、又は降順、更新日時の昇順、又は降順で一覧表示する。また、「文書名」１３０８０をクリックすることにより、文書名による昇順・降順ソートを切り替えて、文書１３０５０を並び替えることができる。また、「更新日」１３０９０をクリックすることにより、更新日１３０７０による昇順・降順ソートを切り替えて文書１３０５０を並び替えることができる。分類名１３０６０は、文書１３０５０と類似度の高いオントロジ項目を表示する。表形式での表示は、文書を一覧でソートして参照したい場合に有効である。文書情報入力エリア１３０２０、更新ボタン１３０３０については図１４、図１５と同様である。
【００４１】
図１７は、図９及び図１０の文書検索画面０８０４０及び０８１３０の例である。ウインドウタイトル１４０１０の左部分の検索文字列入力・選択フィールド１４０２０で検索条件を入力、又は選択し、検索ボタン１４０３０をクリックすると、検索を実行し、検索条件に合致する文書、単語、ユーザ０１２１０…、及びオントロジ項目を拡大して表示する（ここでは、タブ「検索」１４０１５を選択している）。また、画面右部分の文書、単語、ユーザ０１２１０…、及びオントロジ項目をクリックすることにより、クリックしたものに類似する文書、単語、ユーザ０１２１０…、及びオントロジ項目を拡大して表示する。また、画面右部分にクライアントマシンにある文書のファイルをドラッグ＆ドロップすることにより、文書に類似する文書、単語、ユーザ０１２１０…、及びオントロジ項目を検索し、拡大して表示することもできる。ファイルをドラッグ、及びドロップした時の画面の表示仕様は、文書分類画面０８０３０と同様である。検索の履歴は、コンテンツ利用履歴０１０７０（図１参照）における文書検索履歴に格納する。検索により、検索条件に合致する文書の一覧を得ることができるだけでなく、関連する単語、ユーザ０１２１０…、及びオントロジ項目を得ることができ、しかもこれらが互いにどのように関連しているかを知ることができるので、大変便利である。また、文書、単語、ユーザ０１２１０…、及びオントロジ０１０８０…をドラッグして移動することもでき、この場合の画面の表示仕様は、文書分類画面０８０３０と同様である。
【００４２】
図１８は、図９の文書作成画面０８０５０の例である。定型フォーマット０１０７５に格納されている形式定義に従い、ウインドウタイトル１５０１０の左部分に文書形式の選択（ここではタブ「文章作成」１５０１５が選択されている）と、選択した文書形式における項目の入力フィールド１５０２０を表示する。ユーザ０１２１０…が文書形式を選択し、項目に入力して「作成」ボタンをクリックすると、新規に文書を作成し、画面右部分（ここではタブ「マップ」１５０１７が選択されている）に配置して表示する。コンテンツ利用履歴０１０７０（図１参照）における文書１５０５０は、新規作成文書の例である。新規作成文書に類似する各文書、各単語、各ユーザ０１２１０…、及び各オントロジ項目（システムエンジニアリング知識体系１５０４０等）の配置と表示の仕様は、文書分類画面０８０３０と同様である。文書作成画面での文書作成により、定型文書を容易に作成することができ、大変便利である。また、定型文書の各項目の単語の取得と検索を検索に使用できるため、検索の精度が向上する。
【００４３】
図１９は、図１０のオントロジ項目追加画面０８１４０の例である。ウインドウタイトル１６０１０の左部分（ここではタブ「プロパティ」１６０１５が選択されている）のオントロジ項目情報入力フィールド１６０２０にオントロジ項目の情報を入力し、「更新」ボタン１６０３０をクリックすると、右部分（ここではタブ「マップ」１６０１７が選択されている）にオントロジ項目を追加し、配置及び表示する。また、表示されている単語をクリックすると、オントロジ項目情報入力フィールド１６０２０のカテゴリ名に単語名を自動入力する。カテゴリ名以外の情報を入力し、「更新」ボタン１６０３０をクリックすると、単語をオントロジ項目（システムエンジニアリング体系１６０４０等）として追加し、配置、及び表示される。オントロジ追加により、ユーザ０１２１０…の日常の文書操作によって生み出される単語等をタイムリーにオントロジ０１０８０…に反映させることができ、大変便利である。また、文書、単語、ユーザ０１２１０…、及びオントロジ０１０８０…をドラッグして移動することもでき、この場合の画面の表示仕様は、文書分類画面０８０３０と同様である。
【００４４】
また、現在オントロジ管理クライアント０１１３０…を使用している管理者０１２４０…と別の管理者０１２４０…が、同じオントロジ項目を異なるオントロジ項目と関係付けている場合、関係の線は、通常の関係の線とは異なる線種で表示される。１６０９０及び１６１００は、異なる線種の例である。これにより、複数の管理者０１２４０…がオントロジ項目を容易に追加、修正することができ、さらに管理者０１２４０…間の不整合を知ることができ、大変便利である。
【００４５】
本発明を実施することで、複数のオントロジ０１０８０…のノード間を意味的に結合することが容易に可能となる。
【００４６】
これにより、一企業内での実施では、文書管理システム等をコアとして、社内で情報を共有する際に、関連する業務毎の複数のオントロジ０１０８０…を意味的に結合して、広範囲の分野の検索結果を出力するという業務支援システムが実現可能となる。
【００４７】
具体的な例としては、ソフトウェア開発会社における文書管理において、顧客毎の開発分類体系、システム開発知識体系等の複数のオントロジ０１０８０…に対して、新規文書を分類する際、あるいは既存文書を検索する際のユーザ支援に利用できる。また、プラントエンジニアリング会社における文書の場合、プラント体系、系統体系、機器体系等の複数のオントロジ０１０８０…に対して、新規文書を分類する際、あるいは既存文書を検索する際のユーザ支援に利用できる。
【００４８】
一方、複数の企業やステークホルダに関係する実施では、一つ、又は複数のインターネット情報公開サーバに対し、エンドユーザが何らかの検索サービスを利用する際に、単一のオントロジだけでなく、複数のオントロジ０１０８０…を意味的に結合して、広範囲の検索結果を出力するというサービスが実現可能となる。例えば、複数のオントロジ０１０８０…間を連携させるＧＵＩを提供するサービスや、これを利用したＧｏｏｇｌｅ（Ｒ）のようなインターネット上のコンテンツ検索サービスを実現できる。
【図面の簡単な説明】
【００４９】
【図１】本発明の一実施形態に係るコンテンツ公開システムのブロック図である。
【図２】本発明の一実施形態に係るオントロジにおける項目群の例を示す図である。
【図３】本発明の一実施形態に係るコンテンツ利用履歴の文書分類・作成履歴の例を示す図である。
【図４】本発明の一実施形態に係るコンテンツ利用履歴の文書作成履歴の例を示す図である。
【図５】本発明の一実施形態に係るコンテンツ利用履歴の文書検索履歴の例を示す図である。
【図６】本発明の一実施形態に係るコンテンツ利用履歴の文書分類履歴の例を示す図である。
【図７】本発明の一実施形態に係る定型フォーマットに格納した文書の形式定義の例を示す図である。
【図８】本発明の一実施形態に係るコンテンツ利用履歴における類似度の例を示す図である。
【図９】本発明の一実施形態に係るコンテンツクライアントの画面遷移の例を示す図である。
【図１０】本発明の一実施形態に係るオントロジ管理クライアントの画面遷移の例を示す図である。
【図１１】本発明の一実施形態に係るコンテンツクライアント及びオントロジ管理クライアントでの文書、単語、ユーザ、及びオントロジ項目の表示アルゴリズムの例を表すフローチャートである。
【図１２】本発明の一実施形態に係るユーザ認証画面の例を示す図である。
【図１３】本発明の一実施形態に係るコンテンツクライアント、及びオントロジ管理クライアントの初期画面の例である。
【図１４】本発明の一実施形態に係るコンテンツクライアントの文書分類画面の例を示す図である。
【図１５】本発明の一実施形態に係るコンテンツクライアントの文書分類画面をツリー形式で表した例を示す図である。
【図１６】本発明の一実施形態に係るコンテンツクライアントの文書分類画面を表形式で表した例を示す図である。
【図１７】本発明の一実施形態に係るコンテンツクライアントの文書検索画面の例を示す図である。
【図１８】本発明の一実施形態に係るオントロジ管理クライアントの文書作成画面の例を示す図である。
【図１９】本発明の一実施形態に係るオントロジ管理クライアントのオントロジ項目追加画面の例を示す図である。
【符号の説明】
【００５０】
０１０１０、０１０２０、０１０２５、０１０３０  コンテンツクライアント
０１０７０  コンテンツ利用履歴
０１０８０、０１０９０、０１１００  オントロジ
０１１３０、０１１４０、０１１５０  オントロジ管理クライアント
０１２１０、０１２２０、０１２２５、０１２３０  ユーザ
０１２４０、０１２５０、０１２６０  管理者
【図１】
2005316699.tif 000003
【図２】
2005316699.tif 000004
【図３】
2005316699.tif 000005
【図４】
2005316699.tif 000006
【図５】
2005316699.tif 000007
【図６】
2005316699.tif 000008
【図７】
2005316699.tif 000009
【図８】
2005316699.tif 000010
【図９】
2005316699.tif 000011
【図１０】
2005316699.tif 000012
【図１１】
2005316699.tif 000013
【図１２】
2005316699.tif 000014
【図１３】
2005316699.tif 000015
【図１４】
2005316699.tif 000016
【図１５】
2005316699.tif 000017
【図１６】
2005316699.tif 000018
【図１７】
2005316699.tif 000019
【図１８】
2005316699.tif 000020
【図１９】
2005316699.tif 000021